(57)【要約】【課題】画像データの格納領域に対応したネットワークの変更内容とその格納領域に関連付けられた指示情報による指示との間の齟齬が分かるようにする。【解決手段】ネットワーク設定部３０は、データ記憶部２０が備える格納領域ごとに、通信部１０を介して接続される複数のネットワークの中から選択される設定ネットワークをその格納領域に対応したネットワークとして設定する。指示情報管理部４０は、データ記憶部２０が備える格納領域ごとに指示情報を関連付けて管理する。変更受付部５０は、設定ネットワークの変更の指示を受け付ける。ネットワーク判定部６０は、格納領域の変更された設定ネットワークと、その格納領域に関連付けられた指示情報で指定される指定ネットワークが同じネットワークであるか否かを判定する。【選択図】図１
2020047969.tif 000002
【特許請求の範囲】
【請求項１】
複数のネットワークに対応した通信機能を備える通信手段と、
画像データを記憶する１以上の格納領域を備える記憶手段と、
前記格納領域ごとに前記複数のネットワークの中から選択される設定ネットワークを前記格納領域に対応したネットワークとして設定する設定手段と、
前記格納領域と指示情報を関連付けて管理する管理手段と、
前記格納領域の設定ネットワークの変更を受け付ける受付手段と、
前記格納領域の変更された設定ネットワークと当該格納領域に関連付けられた指示情報で指定される指定ネットワークが同じネットワークであるか否かを判定する判定手段と、
を有する画像処理装置。
【請求項２】
請求項１に記載の画像処理装置において、
前記格納領域の変更された設定ネットワークと当該格納領域に関連付けられた指示情報で指定される指定ネットワークが同じネットワークではないと判定された場合に、当該格納領域に関連付ける指示情報の変更を勧めるメッセージを出力する、
ことを特徴とする画像処理装置。
【請求項３】
請求項１または２に記載の画像処理装置において、
前記格納領域の変更された設定ネットワークと当該格納領域に関連付けられた指示情報で指定される指定ネットワークが同じネットワークではないと判定された場合に、当該格納領域に関連付ける変更後の指示情報の選択肢として、前記管理手段によって管理される複数の指示情報に含まれる、前記変更された設定ネットワークと同じ指定ネットワークを指定する１以上の指示情報を選択して提示する、
ことを特徴とする画像処理装置。
【請求項４】
請求項３に記載の画像処理装置において、
前記格納領域の変更された設定ネットワークと当該格納領域に関連付けられた指示情報で指定される指定ネットワークが同じネットワークではないと判定された場合に、当該格納領域に関連付けられた指示情報を、前記選択肢として提示された１以上の指示情報の中から選択された指示情報に変更する、
ことを特徴とする画像処理装置。
【請求項５】
請求項１から４のいずれか１項に記載の画像処理装置において、
予め定められた復帰の条件が満たされた場合に、前記格納領域の変更された設定ネットワークを変更前の設定ネットワークに戻す、
ことを特徴とする画像処理装置。
【請求項６】
請求項５に記載の画像処理装置において、
前記格納領域に関連付ける指示情報が変更されており且つ前記復帰の条件が満たされた場合に、当該格納領域に関連付ける指示情報を変更前の指示情報に戻す、
ことを特徴とする画像処理装置。
【請求項７】
請求項５また６に記載の画像処理装置において、
前記格納領域の設定ネットワークが変更された後に前記変更前の設定ネットワークを利用した転送処理を実行せずに保留しておき、前記変更前の設定ネットワークに戻ってから前記保留していた転送処理を実行する、
ことを特徴とする画像処理装置。
【請求項８】
コンピュータに、
複数のネットワークに対応した通信機能と、
１以上の格納領域に画像データを記憶する機能と、
前記格納領域ごとに前記複数のネットワークの中から選択される設定ネットワークを前記格納領域に対応したネットワークとして設定する機能と、
前記格納領域と指示情報を関連付けて管理する機能と、
前記格納領域の設定ネットワークの変更を受け付ける機能と、
前記格納領域の変更された設定ネットワークと当該格納領域に関連付けられた指示情報で指定される指定ネットワークが同じネットワークであるか否かを判定する機能と、
を実現させるプログラム。
【発明の詳細な説明】
【技術分野】
【０００１】
本発明は、画像処理装置およびプログラムに関する。
【背景技術】
【０００２】
特許文献１には、ボックス内の文書に対する各種の処理を容易に行うことができ、ユーザの負担を軽減できるようにするために、処理内容とその処理内容に対応する実行タイミングとを一対とする処理情報を記憶しておき、所定のボックス内の文書に対して、記憶された処理情報に含まれる処理内容に対応する実行タイミングが満たされたときに、その処理内容に基づいた処理を実行する文書処理装置が記載されている。
【０００３】
また、特許文献２には、記憶装置を複数のボックスに分けて設け、各ボックスに関連付けてそれぞれ異なるスクリプトを記憶装置に記憶しておき、入力されるデータのヘッダー情報を解析して要求されるボックスにデータを記憶し、それぞれのボックスに対応したスクリプト処理を実行するようにジョブ制御部を制御する情報処理装置が記載されている。
【０００４】
また、特許文献３には、ファクシミリを受信した際に相手方ファクシミリの送信元情報に対応する受信通知先と受信画像データ転送先を記憶部に記憶しておき、受信通知と受信画像データ転送の追加・変更の設定に関する設定変更情報を端末から受け付け、設定変更情報に基づいて、記憶部に記憶された受信通知先と受信画像データ転送先の設定を追加・変更するファクシミリ装置とファクシミリシステムが記載されている。
【先行技術文献】
【特許文献】
【０００５】
【特許文献１】特開２００６−３２５２０３号公報
【特許文献２】特開２００３−１４３３４０号公報
【特許文献３】特開２００９−６０２１１号公報
【発明の概要】
【発明が解決しようとする課題】
【０００６】
ところで、特許文献１から３には記載されていないが、つまり公知技術ではないが、画像データなどを記憶する格納領域に複数のネットワークのうちのいずれかが対応付けられており、さらに格納領域に指示情報が関連付けられている装置を仮定する。その装置において、格納領域に対応付けられたネットワークの変更内容と、その格納領域に関連付けられた指示情報による指示との間に齟齬があり、その齟齬をユーザが知らずにいると、ユーザの意図どおりに装置が動作しない可能性がある。
【０００７】
そこで、本発明は、画像データの格納領域に対応したネットワークの変更内容とその格納領域に関連付けられた指示情報による指示との間の齟齬が分かるようにすることを目的とする。
【課題を解決するための手段】
【０００８】
請求項１に係る発明は、複数のネットワークに対応した通信機能を備える通信手段と、画像データを記憶する１以上の格納領域を備える記憶手段と、前記格納領域ごとに前記複数のネットワークの中から選択される設定ネットワークを前記格納領域に対応したネットワークとして設定する設定手段と、前記格納領域と指示情報を関連付けて管理する管理手段と、前記格納領域の設定ネットワークの変更を受け付ける受付手段と、前記格納領域の変更された設定ネットワークと当該格納領域に関連付けられた指示情報で指定される指定ネットワークが同じネットワークであるか否かを判定する判定手段と、を有する画像処理装置である。
【０００９】
請求項２に係る発明は、請求項１に記載の画像処理装置において、前記格納領域の変更された設定ネットワークと当該格納領域に関連付けられた指示情報で指定される指定ネットワークが同じネットワークではないと判定された場合に、当該格納領域に関連付ける指示情報の変更を勧めるメッセージを出力することを特徴とする画像処理装置である。
【００１０】
請求項３に係る発明は、請求項１または２に記載の画像処理装置において、前記格納領域の変更された設定ネットワークと当該格納領域に関連付けられた指示情報で指定される指定ネットワークが同じネットワークではないと判定された場合に、当該格納領域に関連付ける変更後の指示情報の選択肢として、前記管理手段によって管理される複数の指示情報に含まれる、前記変更された設定ネットワークと同じ指定ネットワークを指定する１以上の指示情報を選択して提示することを特徴とする画像処理装置である。
【００１１】
請求項４に係る発明は、請求項３に記載の画像処理装置において、前記格納領域の変更された設定ネットワークと当該格納領域に関連付けられた指示情報で指定される指定ネットワークが同じネットワークではないと判定された場合に、当該格納領域に関連付けられた指示情報を、前記選択肢として提示された１以上の指示情報の中から選択された指示情報に変更することを特徴とする画像処理装置である。
【００１２】
請求項５に係る発明は、請求項１から４のいずれか１項に記載の画像処理装置において、予め定められた復帰の条件が満たされた場合に、前記格納領域の変更された設定ネットワークを変更前の設定ネットワークに戻すことを特徴とする画像処理装置である。
【００１３】
請求項６に係る発明は、請求項５に記載の画像処理装置において、前記格納領域に関連付ける指示情報が変更されており且つ前記復帰の条件が満たされた場合に、当該格納領域に関連付ける指示情報を変更前の指示情報に戻すことを特徴とする画像処理装置である。
【００１４】
請求項７に係る発明は、請求項５また６に記載の画像処理装置において、前記格納領域の設定ネットワークが変更された後に前記変更前の設定ネットワークを利用した転送処理を実行せずに保留しておき、前記変更前の設定ネットワークに戻ってから前記保留していた転送処理を実行することを特徴とする画像処理装置である。
【００１５】
請求項８に係る発明は、コンピュータに、複数のネットワークに対応した通信機能と、１以上の格納領域に画像データを記憶する機能と、前記格納領域ごとに前記複数のネットワークの中から選択される設定ネットワークを前記格納領域に対応したネットワークとして設定する機能と、前記格納領域と指示情報を関連付けて管理する機能と、前記格納領域の設定ネットワークの変更を受け付ける機能と、前記格納領域の変更された設定ネットワークと当該格納領域に関連付けられた指示情報で指定される指定ネットワークが同じネットワークであるか否かを判定する機能と、を実現させるプログラムである。
【発明の効果】
【００１６】
請求項１に係る発明により、画像データの格納領域に対応したネットワークの変更内容とその格納領域に関連付けられた指示情報による指示との間の齟齬が分かる。
【００１７】
請求項２に係る発明により、格納領域に対応したネットワークの変更内容とその格納領域に関連付けられた指示情報による指示との間に齟齬がある場合に、その格納領域に関連付けられた指示情報の変更をユーザに勧めることができる。
【００１８】
請求項３に係る発明により、格納領域に対応した変更後のネットワークと同じネットワークを指定する１以上の指示情報を、その格納領域に関連付ける変更後の指示情報の選択肢として提示することができる。
【００１９】
請求項４に係る発明により、格納領域に対応した変更後のネットワークと同じネットワークを指定する指示情報を、その格納領域に関連付ける変更後の指示情報とすることができる。
【００２０】
請求項５に係る発明により、格納領域に対応したネットワークの変更を予め定められた復帰の条件が満たされるまでの一時的な変更とすることができる。
【００２１】
請求項６に係る発明により、格納領域に関連付けられた指示情報の変更を予め定められた復帰の条件が満たされるまでの一時的な変更とすることができる。
【００２２】
請求項７に係る発明により、設定ネットワークが変更された後に変更前の設定ネットワークを利用した転送処理が必要になった場合に、変更前の設定ネットワークに戻ってからその転送処理を実行することができる。
【００２３】
請求項８に係る発明により、画像データの格納領域に対応したネットワークの変更内容とその格納領域に関連付けられた指示情報による指示との間の齟齬が分かる。
【図面の簡単な説明】
【００２４】
【図１】実施形態の具体例の１つである画像処理装置１００を示す図である。
【図２】通信部１０とデータ記憶部２０の具体例を示す図である。
【図３】親展ボックスの設定ネットワークと指示書の具体例を示す図である。
【図４】設定ネットワークと指定ネットワークの具体例を示す図である。
【図５】設定ネットワークの変更後の処理例１を示す図である。
【図６】設定ネットワークの変更後の処理例２を示す図である。
【図７】設定ネットワークの変更後の処理例３を示す図である。
【発明を実施するための形態】
【００２５】
図１は、発明を実施するための形態（実施形態）の具体例の１つである画像処理装置１００を示す図である。図１に示す具体例において、画像処理装置１００は、通信部１０とデータ記憶部２０とネットワーク設定部３０と指示情報管理部４０と変更受付部５０とネットワーク判定部６０と表示部７０と指示情報選択部８０と復帰条件管理部９０を備えている。
【００２６】
通信部１０は、複数のネットワークに対応した通信機能を備えている。通信部１０は、例えば、複数の通信インターフェース（マルチインターフェース）を備えており、複数の通信インターフェースが複数種類のネットワークへの接続機能を備えている。
【００２７】
データ記憶部２０は、画像データを記憶する１以上の格納領域を備える。格納領域の具体例の１つが親展ボックスである。例えば、データ記憶部２０内に複数の親展ボックスが設けられ、各親展ボックスが１つの格納領域として利用されてもよい。データ記憶部２０は、例えばハードディスクドライブや半導体メモリ等の記憶デバイスを利用して実現されてもよい。なお、画像データの具体例には、文字や記号のみの画像に関するデータも含まれる。
【００２８】
ネットワーク設定部３０は、データ記憶部２０が備える格納領域ごとに、通信部１０を介して接続される複数のネットワークの中から選択される設定ネットワークを、その格納領域に対応したネットワークとして設定する。
【００２９】
指示情報管理部４０は、データ記憶部２０が備える格納領域ごとに指示情報を関連付けて管理する。指示情報は、関連付けられた格納領域に対する何らかの指示を含む情報である。例えば、関連付けられた格納領域に格納された画像データに対してどのような処理を行うのかを示す指示情報が利用されてもよい。指示情報の具体例には、例えば、関連付けられた親展ボックス内にある画像データの転送先（アドレス）などを指定する指示書が含まれる。
【００３０】
変更受付部５０は、データ記憶部２０が備える格納領域の設定ネットワークの変更を受け付ける。変更受付部５０は、例えば、画像処理装置１００を管理する管理者などのユーザから、操作デバイスを介して、設定ネットワークの変更の指示を受け付ける。そして、例えば、変更受付部５０が受け付けた指示に応じて、ネットワーク設定部３０が格納領域に対応したネットワーク（設定ネットワーク）を変更する。
【００３１】
ネットワーク判定部６０は、格納領域の変更された設定ネットワークと、その格納領域に関連付けられた指示情報で指定される指定ネットワークが同じネットワークであるか否かを判定する。指示情報の中には、複数のネットワークのうちのいずれかを指定ネットワークとする指示が含まれている場合がある。この場合に、格納領域の変更後の設定ネットワークと、その格納領域に関連付けられた指示情報で指定される指定ネットワークとの間に相違があり、その相違をユーザが知らずにいると、ユーザの意図どおりの通信処理が実行されない可能性がある。
【００３２】
そこで、ネットワーク判定部６０は、格納領域の変更後の設定ネットワークとその格納領域に関連付けられた指示情報による指定ネットワークが同じネットワークであるかどうかを判定する。そして、設定ネットワークと指定ネットワークが同じネットワークではないと判定された場合に、格納領域に関連付ける指示情報の変更を勧めるメッセージが出力される。例えば、格納領域に関連付ける指示情報の変更を管理者などのユーザに勧めるメッセージが表示部７０に表示されてもよい。
【００３３】
表示部７０には、指示情報の変更を勧めるメッセージの他に、指示情報を変更する際の指示情報の選択肢などが表示されてもよい。表示部７０は、例えば、液晶ディスプレイや有機ＥＬ（エレクトロルミネッセンス）ディスプレイ等の表示デバイスを利用して実現することができる。
【００３４】
指示情報選択部８０は、格納領域の変更された設定ネットワークとその格納領域に関連付けられた指示情報で指定される指定ネットワークが同じネットワークではないと判定された場合に、その格納領域に関連付ける変更後の指示情報の選択肢を選択する。指示情報選択部８０は、例えば、指示情報管理部４０によって管理される複数の指示情報の中から変更後の設定ネットワークと同じ指定ネットワークを指定する１以上の指示情報を選択肢として選択する。指示情報選択部８０によって選択された選択肢（１以上の指示情報）は例えば表示部７０に表示されて管理者などのユーザに提示されてもよい。
【００３５】
復帰条件管理部９０は、格納領域の変更後の設定ネットワークを変更前の設定ネットワークに戻すための復帰条件を管理する。なお、格納領域に関連付ける指示情報が変更されており、且つ、復帰条件管理部９０が管理する復帰条件が満たされた場合に、その格納領域に関連付ける指示情報を変更前の指示情報に戻すようにしてもよい。
【００３６】
図１に示す具体例の画像処理装置１００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００３７】
そして、例えば、図１に示す画像処理装置１００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、図１に例示する画像処理装置１００の少なくとも一部の機能がコンピュータにより実現される。そのプログラムは、例えば、インターネット等の通信回線を介してコンピュータ（画像処理装置１００）に提供されてもよいし、光ディスクや半導体メモリやカードメモリ等の記憶媒体に記憶されてコンピュータ（画像処理装置１００）に提供されてもよい。
【００３８】
また、図１に例示する画像処理装置１００は、画像出力機能を備えた装置であってもよい。画像出力機能を備えた装置の具体例の一つが、複数の画像出力機能（印刷機能とスキャナ機能とコピー機能とファクシミリ機能などのうちの少なくともいくつかの機能）を備えた複合型の装置である。例えば、図１の画像処理装置１００が複合型の装置であれば、企業や学校などに設置されてその企業や学校の顧客に利用されてもよいし、コンビニエンスストアなどの店舗に設置されて不特定多数の顧客に利用されてもよい。なお、図１の画像処理装置１００は、複数の画像出力機能のうちの１つの機能のみを備えた装置であってもよい。
【００３９】
図１に例示する画像処理装置１００の全体構成は以上のとおりである。次に、図１の画像処理装置１００により実現される処理等の具体例について詳述する。なお、図１に示した構成（部分）については、以下の説明において図１の符号を利用する。
【００４０】
図２は、通信部１０とデータ記憶部２０の具体例を示す図である。図２には、図１の画像処理装置１００が備える通信部１０とデータ記憶部２０の具体例が示されている。
【００４１】
図２に示す具体例において、通信部１０は、複数の通信ＩＦ（通信インターフェース）を備えており、複数の通信ＩＦが複数種類のネットワークへの接続機能を備えている。図２には、複数種類のネットワークの具体例として、通信回線Ａ，Ｂ，ＣとＦＡＸ回線Ａ，Ｂが例示されている。通信回線Ａ，Ｂ，Ｃは、例えば、ＬＡＮ（ローカルエリアネットワーク），ＷＡＮ（ワイドエリアネットワーク），インターネットなどのネットワーク回線である。また、ＦＡＸ回線Ａ，Ｂは、例えばファクシミリ用の回線である。
【００４２】
図２の具体例では、通信ＩＦ（１１）と通信ＩＦ（１２）と通信ＩＦ（１３）が、それぞれ、通信回線Ａと通信回線Ｂと通信回線Ｃに対応付けられており、通信ＩＦ（１４）と通信ＩＦ（１５）が、それぞれ、ＦＡＸ回線ＡとＦＡＸ回線Ｂに対応付けられている。
【００４３】
また、図２に示す具体例において、データ記憶部２０は、複数の親展ボックスを備えている。複数の親展ボックスは格納領域の具体例の１つである。各親展ボックスは例えば１つ以上の画像データを格納するフォルダとしての機能を備えている。
【００４４】
そして、図２に示す具体例では、各親展ボックスに対して、複数種類のネットワークの中から選択される設定ネットワークが設定される。例えば、ネットワーク設定部３０は、データ記憶部２０が備える親展ボックスごとに、通信部１０を介して接続される複数のネットワークの中から選択される設定ネットワークを、その親展ボックスに対応したネットワークとして設定する。
【００４５】
図２に示す具体例において、親展ボックス（２１）には通信ＩＦ（１１）が対応付けられており、通信ＩＦ（１１）を介して接続される通信回線Ａが、親展ボックス（２１）の設定ネットワークとなる。また、図２に示す具体例において、親展ボックス（２２）と親展ボックス（２３）と親展ボックス（２４）と親展ボックス（２５）には、それぞれ、通信回線Ｂと通信回線ＣとＦＡＸ回線ＡとＦＡＸ回線Ｂが設定ネットワークとして選択されている。
【００４６】
各親展ボックスの設定ネットワークは、例えば、図１の画像処理装置１００を管理する管理者などのユーザからの指示に応じて変更される。例えば、変更受付部５０がユーザから受け付けた指示に従って、ネットワーク設定部３０が各親展ボックスの設定ネットワークを変更する。
【００４７】
例えば、図２に示す具体例において、親展ボックス（２１）の設定ネットワークを通信回線Ａから通信回線Ｂへ変更する指示があると、ネットワーク設定部３０は、例えば、親展ボックス（２１）に対応付けられた通信ＩＦ（１１）を通信ＩＦ（１２）に切り替えることにより、親展ボックス（２１）の設定ネットワークを通信回線Ｂへ変更する。なお、ネットワーク設定部３０は、親展ボックス（２１）に対応付けられた通信ＩＦ（１１）を変更せずに、通信ＩＦ（１１）に対応付けられた通信回線Ａを通信回線Ｂに切り替えることにより、親展ボックス（２１）の設定ネットワークを通信回線Ｂへ変更してもよい。
【００４８】
なお、１つのネットワークが複数の親展ボックスの設定ネットワークとして利用されてもよい。例えば、図２に示す具体例において、親展ボックス（２２）の設定ネットワークが通信回線Ｂから通信回線Ａに変更され、通信回線Ａが親展ボックス（２１）と親展ボックス（２２）の設定ネットワークとして利用されてもよい。
【００４９】
また、各親展ボックスには、設定ネットワークが設定されると共に、その親展ボックス内にある画像データの転送先（アドレス）などを指定する指示書が関連付けられる。
【００５０】
図３は、親展ボックスの設定ネットワークと指示書の具体例を示す図である。図３には親展ボックス００１と親展ボックス００２に関する設定ネットワークと指示書の具体例が図示されている。
【００５１】
図３に示す具体例において、設定変更前の親展ボックス００１には、設定ネットワークとしてネットワークＡが設定されており、親展ボックス００２には、設定ネットワークとしてネットワークＢが設定されている。ネットワークＡとネットワークＢを比較すると、ネットワークＡはセキュリティーレベルが低く、ネットワークＢはセキュリティーレベルが高い。
【００５２】
また、図３に示す具体例において、設定変更前の親展ボックス００１には、指示書Ｘが関連付けられており、指示書Ｘには、転送先としてアドレスＸが指定されている。親展ボックス００１の設定ネットワークがネットワークＡであるため、親展ボックス００１の指示書Ｘには、例えばネットワークＡ内のアドレスＸが指定される。例えば、設定変更前の親展ボックス００１を利用したペーパーレスＦＡＸ（ファクシミリ）の処理が実行されると、通信部１０が備えるＦＡＸ受信部で受信したＦＡＸ画像データが親展ボックス００１に格納され、親展ボックス００１に関連付けられた指示書Ｘの指示に従って、そのＦＡＸ画像データがネットワークＡ内のアドレスＸに転送される。
【００５３】
なお、親展ボックス００２には、指示書Ｙが関連付けられており、指示書Ｙには、転送先としてアドレスＹが指定されている。親展ボックス００２の設定ネットワークがネットワークＢであるため、親展ボックス００２の指示書Ｙには、例えばネットワークＢ内のアドレスＹが指定される。
【００５４】
図３に示す具体例において、例えば、親展ボックス００１を利用して機密性の高い画像データを受信したい場合には、親展ボックス００１の設定ネットワークがセキュリティーレベルの高いネットワークＢに変更される。図３に例示する設定変更後の親展ボックス００１では、設定ネットワークがネットワークＢに変更されている。なお、図３に例示する設定変更後の親展ボックス００１には、指示書Ｘがそのまま関連付けられている。
【００５５】
したがって、例えば、図３に例示する設定変更後の親展ボックス００１を利用したペーパーレスＦＡＸ（ファクシミリ）の処理が実行されると、通信部１０が備えるＦＡＸ受信部で受信したＦＡＸ画像データが親展ボックス００１に格納され、親展ボックス００１に関連付けられた指示書Ｘの指示に従って、そのＦＡＸ画像データがアドレスＸに転送される。
【００５６】
ところが、指示書Ｘには、変更前のネットワークＡを想定したアドレスＸ（例えばネットワークＡ内のアドレスＸ）が指定されているにも関わらず、親展ボックス００１の設定ネットワークがネットワークＢに変更されている。
【００５７】
そのため、例えばネットワークＢ内にアドレスＸが存在すると、指示書Ｘで意図していたネットワークＡ内のアドレスＸとは異なる転送先にＦＡＸ画像データが転送されてしまう。また、例えばネットワークＢ内にアドレスＸが存在しなければ、ＦＡＸ画像データの転送が実行できずに転送エラーとなってしまう。
【００５８】
そこで、図１の画像処理装置１００は、各親展ボックスに関連付ける指示書でネットワークを指定し（指定ネットワーク）、各親展ボックスの変更後の設定ネットワークとその親展ボックスに関連付けられた指示書で指定される指定ネットワークが同じネットワークであるか否かを判定する。
【００５９】
図４は、設定ネットワークと指定ネットワークの具体例を示す図である。図４には、親展ボックス００１と親展ボックス００２に関する設定ネットワークと指定ネットワークの具体例が図示されている。
【００６０】
図４に示す具体例において、設定変更前の親展ボックス００１には、設定ネットワークとしてネットワークＡが設定されており、親展ボックス００２には、設定ネットワークとしてネットワークＢが設定されている。ネットワークＡとネットワークＢを比較すると、ネットワークＡはセキュリティーレベルが低く、ネットワークＢはセキュリティーレベルが高い。
【００６１】
また、図４に示す具体例において、設定変更前の親展ボックス００１には、指示書Ｘが関連付けられている。指示書Ｘには、指定ネットワークとしてネットワークＡが指定されており、転送先としてアドレスＸが指定されている。つまり、指示書ＸによりネットワークＡ内のアドレスＸが転送先に指定されている。一方、親展ボックス００２には、指示書Ｙが関連付けられている。指示書Ｙには、指定ネットワークとしてネットワークＢが指定されており、転送先としてアドレスＹが指定されている。つまり、指示書ＹによりネットワークＢ内のアドレスＹが転送先に指定されている。
【００６２】
図４に示す具体例において、例えば、親展ボックス００１を利用して機密性の高い画像データを受信したい場合に、図１の画像処理装置１００の管理者などのユーザは、親展ボックス００１の設定ネットワークをセキュリティーレベルの高いネットワークＢに変更する。図４に例示する設定変更後の親展ボックス００１では、設定ネットワークがネットワークＢに変更されている。また、図４に例示する設定変更後の親展ボックス００１には、指示書Ｘがそのまま関連付けられている。
【００６３】
図５は、画像処理装置１００による設定ネットワークの変更後の処理例１を示す図（フローチャート）である。
【００６４】
図５に例示する具体例において、設定ネットワークの変更があると（Ｓ５００）、ネットワーク判定部６０は、格納領域の変更後の設定ネットワークとその格納領域に関連付けられた指示情報による指定ネットワークを比較する（Ｓ５０１）。そして、変更後の設定ネットワークと指定ネットワークが同じネットワークではない場合（Ｓ５０２）、格納領域に関連付ける指示情報の変更を勧めるメッセージが表示部７０に表示される（Ｓ５０３）。
【００６５】
例えば、図４に示す具体例であれば、設定変更後の親展ボックス００１の設定ネットワークがネットワークＢであり、親展ボックス００１に関連付けられた指示書Ｘの指定ネットワークがネットワークＡであるため、設定ネットワーク（ネットワークＢ）と指定ネットワーク（ネットワークＡ）が相違している。そのため、例えば、設定ネットワークと指定ネットワークが相違していることを示すメッセージと共に、親展ボックス００１に関連付ける指示書Ｘの変更を勧めるメッセージが表示部７０に表示される。
【００６６】
これにより、設定ネットワークの変更を指示したユーザは、表示部７０に表示されるメッセージから、変更後の設定ネットワークと指定ネットワークが相違していることが分かる。
【００６７】
なお、図５のＳ５０２で、変更後の設定ネットワークと指定ネットワークが同じネットワークである場合には、メッセージが表示されなくてもよいし、設定ネットワークと指定ネットワークの間に齟齬（相違）がないことを示すメッセージが表示されてもよい。
【００６８】
図６は、画像処理装置１００による設定ネットワークの変更後の処理例２を示す図（フローチャート）である。
【００６９】
図６に例示する具体例において、設定ネットワークの変更があると（Ｓ６００）、ネットワーク判定部６０は、格納領域の変更後の設定ネットワークとその格納領域に関連付けられた指示情報による指定ネットワークを比較する（Ｓ６０１）。そして、変更後の設定ネットワークと指定ネットワークが同じネットワークではない場合（Ｓ６０２）、格納領域に関連付ける指示情報の変更を勧めるメッセージが表示部７０に表示される（Ｓ６０３）。Ｓ６００からＳ６０３までの処理は、Ｓ５００からＳ５０３（図５）と同じ処理が実行されてもよい。
【００７０】
図６に例示する具体例では、変更後の設定ネットワークと指定ネットワークが同じネットワークではない場合に指示書の選択肢が確認され（Ｓ６０４）、選択肢があればその選択肢が表示部７０に表示される（Ｓ６０５）。
【００７１】
指示情報選択部８０は、格納領域の変更された設定ネットワークとその格納領域に関連付けられた指示情報で指定される指定ネットワークが同じネットワークではないと判定された場合に、その格納領域に関連付ける変更後の指示情報の選択肢を選択する。指示情報選択部８０は、例えば、指示情報管理部４０によって管理される複数の指示情報の中から変更後の設定ネットワークと同じ指定ネットワークを指定する１以上の指示情報を選択肢として選択する。指示情報選択部８０によって選択された選択肢は、例えば表示部７０に表示される。
【００７２】
例えば、図４に示す具体例であれば、設定変更後の親展ボックス００１の設定ネットワークがネットワークＢであり、親展ボックス００１に関連付けられた指示書Ｘの指定ネットワークがネットワークＡであるため、設定ネットワーク（ネットワークＢ）と指定ネットワーク（ネットワークＡ）が相違している。また、親展ボックス００２に関連付けられた指示書Ｙの指定ネットワークはネットワークＢであり、設定変更後の親展ボックス００１の設定ネットワーク（ネットワークＢ）と同じである。
【００７３】
そこで、例えば、図４に示す具体例であれば、指示情報選択部８０は、親展ボックス００１の変更後の設定ネットワーク（ネットワークＢ）と同じ指定ネットワーク（ネットワークＢ）を指定する指示書Ｙを選択肢として選択する。さらに、親展ボックス００１に関連付ける変更後の指示情報の候補として指示書Ｙを提示する画像が表示部７０に表示される。
【００７４】
そして、例えばユーザからの指示に従って指示書が変更される（Ｓ６０６）。例えば、図４に示す具体例において、親展ボックス００１に関連付ける変更後の指示情報としてユーザが指示書Ｙを指定すると、指示情報管理部４０が親展ボックス００１に関連付ける指示情報を指示書Ｘから指示書Ｙに変更する。
【００７５】
なお、図６のＳ６０４で、指示書の選択肢がなければ、メッセージが表示されなくてもよいし、候補となる指示書がないことを示すメッセージが表示されてもよい。また、指示書の選択肢がない場合に、新たな指示書を作成するための画面（指示書作成画面）が表示部７０に表示されてもよい。
【００７６】
図７は、画像処理装置１００による設定ネットワークの変更後の処理例３を示す図（フローチャート）である。例えば、図５の処理例１または図６の処理例２により、設定ネットワークの変更があった場合に図７に例示する処理例３が実行される。なお、設定ネットワークと共に指示書が変更されていてもよい。
【００７７】
図７に例示する具体例において、設定ネットワーク（指示書）の変更があると（Ｓ７００）、その変更を元に戻す復帰条件が確認される（Ｓ７０１）。復帰条件は復帰条件管理部９０によって管理され、例えば復帰条件管理部９０が復帰条件を確認する。そして、復帰条件が満たされるまで復帰条件が確認され、復帰条件が満たされると（Ｓ７０２）、ネットワーク設定部３０が設定ネットワークを変更前の設定ネットワークに戻し、設定ネットワークと共に指示書が変更されていれば指示情報管理部４０が指示書を変更前の指示書に戻す（Ｓ７０３）。
【００７８】
また、設定ネットワークの変更（Ｓ７００）から設定ネットワークを元に戻す（Ｓ７０３）までの期間に、転送などの処理を保留していた場合に、画像処理装置１００は、変更前の設定ネットワークに戻してから、保留していた転送などの処理を実行するようにしてもよい（Ｓ７０４）。
【００７９】
図７に例示する具体例において、復帰条件管理部９０によって管理される復帰条件は、例えば画像処理装置１００の管理者によって設定されてもよい。復帰条件のいくつかの具体例は次のとおりである。
【００８０】
＜復帰条件の具体例１（画像データの送信元）＞
例えば、設定ネットワークの変更と共に画像データの送信元（例えばＦＡＸの送信元）が設定され、その送信元から得られた画像データに対する処理（転送など）が完了した場合に、ネットワーク設定部３０が変更前の設定ネットワークに戻すようにしてもよい。
【００８１】
また、例えば、設定ネットワークの変更と共に画像データの送信元（例えばＦＡＸの送信元）が設定された場合に、画像処理装置１００は、設定ネットワークの変更後にその送信元以外の送信元から受信した画像データを受信（例えばＦＡＸ受信）するものの転送などを処理を保留しておき、変更前の設定ネットワークに戻ってから、保留していた転送などの処理を実行するようにしてもよい。
【００８２】
＜復帰条件の具体例２（時刻または期間）＞
例えば、設定ネットワークの変更と共に、変更を元に戻す設定時刻または変更を元に戻すまでの設定期間が設定され、その設定時刻に達した場合に又はその設定期間の経過後に、ネットワーク設定部３０が変更前の設定ネットワークに戻すようにしてもよい。
【００８３】
なお、設定時刻が早過ぎたり設定期間が短過ぎた場合には、設定時刻や設定期間の変更を勧めるメッセージを表示部７０に表示するようにしてもよい。例えば、設定時刻または設定期間までに予め定めた回数の受信がなかった場合にメッセージを表示するようにしてもよいし、設定時刻または設定期間までに予め定めた送信元からの受信がなかった場合にメッセージを表示するようにしてもよい。
【００８４】
また、設定時刻が遅過ぎたり設定期間が長過ぎた場合にも、設定時刻や設定期間の変更を勧めるメッセージを表示部７０に表示するようにしてもよい。例えば、設定時刻または設定期間に達する前に予め定めた回数の受信があった場合にメッセージを表示するようにしてもよいし、設定時刻または設定期間に達する前に予め定めた送信元からの受信があった場合にメッセージを表示するようにしてもよい。
【００８５】
＜復帰条件の具体例３（受信回数）＞
例えば、設定ネットワークの変更と共に、画像データの受信回数（例えばＦＡＸの受信回数）が設定され、設定ネットワークの変更後にその受信回数分の処理（転送など）が完了した場合に、ネットワーク設定部３０が変更前の設定ネットワークに戻すようにしてもよい。なお、受信回数の設定が多過ぎた場合に、受信回数の設定の変更を勧めるメッセージを表示部７０に表示するようにしてもよい。例えば、予め定めた設定時刻または設定期間までに、設定した受信回数に達しなかった場合にメッセージを表示してもよい。
【００８６】
例示した復帰条件の具体例はあくまでも一例であり、例示した具体例以外の復帰条件が設定されてもよい。また、例示した具体例のいくつかを併用した復帰条件が設定されてもよい。
【００８７】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００８８】
１０  通信部、２０  データ記憶部、３０  ネットワーク設定部、４０  指示情報管理部、５０  変更受付部、６０  ネットワーク判定部、７０  表示部、８０  指示情報選択部、９０  復帰条件管理部、１００  画像処理装置。
【図１】
2020047969.tif 000003
【図２】
2020047969.tif 000004
【図３】
2020047969.tif 000005
【図４】
2020047969.tif 000006
【図５】
2020047969.tif 000007
【図６】
2020047969.tif 000008
【図７】
2020047969.tif 000009